(57)【要約】【課題】この発明はバッテリーを使用するため寿命がきたら取替えなければいけない。【解決手段】あらかじめ使用年数がわかるので寿命のくる前に新品に取り替えるようになります。【選択図】図１
2008161030.tif 000002
【特許請求の範囲】
【請求項１】
本発明はモーター駆動式分電盤（３）を取り付けた自家発電装置。
【請求項２】
本発明はバッテリーを電源とする自家発電装置。
【請求項３】
１２ボルトのバッテリー（２）２個を１組にして、その２４ボルトになったものを３組にして電源とする自家発電装置。
【請求項４】
モーター駆動式分電盤（３）は４本柱（８，９，１０，１１）を正方形板（１２，１３，１４）にビスで止める。
【請求項５】
モーター駆動式分電盤の板（１２）の下から小型モーター（１５）の先端に螺せん形の歯車（１６）を取り付けそこから大中小の歯車１７個を組み合わせ取り付けるそれによってモーターの高速回転を減速回転にする。
【請求項６】
凸形歯車（１７）で穴開きベルト（１８）を回転させる。
【請求項７】
全部の歯車に軸受（１９）とシャフトを取り付ける。
【請求項８】
中心軸（２０）の下にも軸受を取り付ける。
【請求項９】
歯車の終着部分の三角形の歯車（２３）と垂直に立った三角形の歯車のシャフトの先端歯車（２４）が大の歯車（２２）に接続させて大の歯車（２２）を回転させる。
【請求項１０】
真中の板（１３）の上に４本柱（２５、２６、２７、２８）の中に正方形の枠（２９、３０、３１）を取り付ける。
【請求項１１】
中心軸にベークライトのカム（３２、３３、３４）を取り付ける。
【請求項１２】
最初にバッテリー（２）から電極（３７）に通電される。電極（４３）がカム（３４）の先端に押されて電極（３７）へスイッチされてスチール（４９）へ通電されるそこからアーム（５２）に接続されたケーブル（５３）からインバーター（４）へ通電される。
【請求項１３】
２番目にバッテリー（２）から電極（３５）に通電される。電極（４１）がカム（３２）の先端に押されて電極（３５）にスイッチされてスチール（４７）へ通電されるそこからアーム（５２）に接続されたケーブル（５３）からインバーター（４）へ通電される。
【請求項１４】
３番目にバッテリー（２）から電極（３６）に通電される電極（４２）がカム（３３）の先端に押されて電極（３６）にスイッチされてスチール（４８）へ通電されるそこからアーム（５２）に接続されたケーブル（５３）からインバーター（４）へ通電される。
【請求項１５】
スチール（４７、４８、４９）の裏側にボルト（５０）とナット（５１）を正方形板に取り付ける、そのボルト（５０）とナットの間にケーブル（４１、４２、４３）をつないだケーブル（４１）はスチール（４７）にケーブル（４２）はスチール（４８）にケーブル（４３）はスチール（４９）に接続される。
【請求項１６】
インバーター（４）に流した電流が直流から交流に変えられて電流を４０００回転の交流モーター（５）に直結された交流発電機（６）を回転させ１００ボルト以上の電気を起こし差し込み（５４）から取り出し自家用家庭電気と使用しもう一方の差し込み（５５）から充電器（７）に通電にて充電器（７）からバッテリーに２４時間充電させることによって３６５日連続して１００ボルト以上の電気を作ることができる。
【発明の詳細な説明】
【発明の詳細な説明】
【技術分野】
【０００１】      本発明はバッテリーを電源としてモーター駆動式分電盤によって充電と放電を繰り返し３６５日電気を供結する該装置の製造方法。
【背景技術】
【０００２】    従来の発電には石油、ガス等で発電をしているが二酸化炭素が発生して公害を起こし問題となる。
【発明が解決しようとする課題】
【０００３】    本発明の開発によって今まで化石燃料等のエネルギーでは公害等で問題があるが本発明の自家発電装置ではクリーンなエネルギーであるから将来性がある。
【課題を解決するための手段】
【０００４】    上記の問題点を解決するために本発明のクリーンなエネルギーの自家発電装置を備えれば公害問題を解決することができる。
【発明を実施するための最良の形態】
【０００５】    本発明は外箱１の中に２，３，４，５，６，７を納め観音扉にする。【０００６】    本発明のモーター駆動式分電盤は８，９，１０，１１の４本柱が外側に立ちそれを１２，１３，１４の３枚の正方形板１２をビスで止める。【０００７】    下の板１２に大中小の歯車１７個を組み合わせ回転させる。【０００８】    （図１４）では歯車の順番をアルハベットで示してあり符号の説明には歯車の直径を現している。【０００９】    下の正方形の板１２の下から小型モーター１５の先端の螺せん形の歯車１６から駆動が始まり大中小の歯車がＡ，Ｂ，Ｃ，Ｄ，Ｅ１７凸形歯車１７から穴開きベルト１８から凸形歯車１７にとＦ，Ｇ，Ｈ，Ｉ，Ｊから２３−１と２３−２から２４へとそして２２を回転させる。【００１０】    中の板１３にも４本柱２５，２６，２７，２８を立てその内側に正方形の枠２９，３０，３１をビスで止める。【００１１】    中心軸２０にベークライトのカム３２，３３，３４を取り付ける。【００１２】    上の板１４に３分割した真円のスチール４７，４８，４９の間３ｍｍをあけて板に固定して裏からビスで止める。【００１３】  上の板１４の中心軸２０の先端にアーム５２を取り付ける。【００１４】      アーム５２の上の部分に溝を作りその溝にスチール５３を取り付けるそのスチールにケーブルを接続してインバーター４に接続する。【００１５】    インバーター４で直流から交流に変えられた電流を出力４０００回転以上の交流モーター５に交流発電機６を直結して回転させ１００ボルト以上の電気を作ることができる。【００１６】    交流発電機に取り付けた電気の取り出しコンセント５４から２本の配線を取り出し１本は家庭用に使ってもう１本はモーター駆動式分電盤３の小型モーター１５に電流を送り中心軸を回転させる、もう片方のコンセント５５から充電器に電流を送り充電器から６個のバッテリーに充電する。【００１７】    ３分割されたバッテリーからケーブルで３分割されたモーター駆動式分電盤３に電流を送りそれをインバーターに送り充電と放電を繰り返しながら２４時間３６５日電気を送ることができる自家発電装置である。【００１８】    ５６わインバーターからのアースである。
【図面の簡単な説明】
【００１９】
【図１】自家発電装置を示した断面図である。
【図２】モーター駆動分電盤を示した断面図である。
【図３】モーター駆動分電盤のモーターを示した断面図である。
【図４】モーター駆動分電盤の凸型歯車を示した断面図である。
【図５】モーター駆動分電盤の凸型歯車を示した縦断面図である。
【図６】モーター駆動分電盤の穴開きベルトを示した平面図である。
【図７】モーター駆動分電盤の正方型枠を示した断面図である。
【図８】モーター駆動分電盤の正方型枠を示した平面図である。
【図９】モーター駆動分電盤の最上部の電極スチールである。
【図１０】モーター駆動分電盤の歯車軸受けを示した断面図である。
【図１１】モーター駆動分電盤最上部３分割スチールの電極を示した平面図である。
【図１２】モーター駆動分電盤最上部スチールの電極を示した断面図である。
【図１３】モーター駆動分電盤のアームを示した断面図である。
【図１４】モーター駆動分電盤を示した平面図である。
【符号の説明】
【００２０】１  外箱
２  バッテリー
３  モーター駆動分電盤
４  インバーター
５  交流モーター
６  交流発電機
７  充電器
８、９、１０、１１  モーター駆動分電盤の４本柱
１２、１３、１４  正方形板
１５  小型駆動モーター
１６  螺線形の歯車
１７  凸型歯車
１８  穴開きベルト
１９  歯車シャフトの軸受け
２０  中心軸
２１  中心軸の軸受け
２２  大型歯車
２３−１  三角型の歯車
２３−２  三角型の歯車
２４  先端の歯車
２５、２６、２７、２８  真中の４柱
２９、３０、３１  中心の正方形の枠
３２、３３、３４  ベークライトカム
３５、３６、３７  バッテリーからの電極
３８、３９、４０  バッテリーからのケーブル
４１、４２、４３  スチールへの電極
４４、４５、４６  スチールへのケーブル
４７、４８、４９  スチール
５０  スチールのボルト
５１  ナット
５２  アーム
５３  スチール
５４  差し込み
５５  差し込み
５６  アース
１６  ０．５ｃｍ
Ａ  ３．０ｃｍ
Ｂ  ３．０ｃｍ
Ｃ  ７．０ｃｍ
Ｄ  １．０ｃｍ
Ｅ  ７．０ｃｍ
１７  ３．５ｃｍ
Ｆ  １．０ｃｍ
Ｇ  ５．０ｃｍ
Ｈ  １．０ｃｍ
Ｉ  ３．０ｃｍ
Ｊ  ５．０ｃｍ
２３−１  ２．０ｃｍ
２３−２  ２．０ｃｍ
２２  ２７．５ｃｍ
５７  ５８  充電器からバッテリーへ充電ををする配線
【図１】
2008161030.tif 000003
【図２】
2008161030.tif 000004
【図３】
2008161030.tif 000005
【図４】
2008161030.tif 000006
【図５】
2008161030.tif 000007
【図６】
2008161030.tif 000008
【図７】
2008161030.tif 000009
【図８】
2008161030.tif 000010
【図９】
2008161030.tif 000011
【図１０】
2008161030.tif 000012
【図１１】
2008161030.tif 000013
【図１２】
2008161030.tif 000014
【図１３】
2008161030.tif 000015
【図１４】
2008161030.tif 000016